(57)【要約】【課題】プロジェクタにスピーカを設ける場合に安価に高音質の音響を再生することができるようにすると共に、ビビリ音の発生も防止できるようにする。【解決手段】本発明によるプロジェクタのスクリーンケース２１では、スピーカの後部を覆うために後方に延びる中空の左エンクロージャ２６及び右エンクロージャ２７が、映像が投射されるスクリーンが張設されるスクリーン枠部２２の左下端部及び右下端部に、共にスクリーン枠部２２と一体に形成されている。【選択図】        図１
2004297296.tif 000002
【特許請求の範囲】
【請求項１】
スピーカの後部を覆うために後方に延びる中空のエンクロージャが、映像が投射されるスクリーンが張設されるスクリーン枠部の端部に、前記スクリーン枠部と一体に形成されていることを特徴とするプロジェクタのスクリーンケース。
【請求項２】
スピーカの後部を覆うために後方に延びる中空のエンクロージャが、少なくとも光学エンジン及び信号処理回路が収容される収容部と一体に形成されていることを特徴とするプロジェクタのキャビネット。
【請求項３】
請求項１記載のプロジェクタのスクリーンケースと、
前記スクリーン枠部に張設されたスクリーンと、
前記エンクロージャに取り付けられたスピーカと
を備えていることを特徴とする視聴覚装置。
【請求項４】
請求項１記載のプロジェクタのスクリーンケースと、
前記スクリーン枠部に張設されたスクリーンと、
前記エンクロージャに取り付けられたスピーカと
を備えていることを特徴とするプロジェクタ。
【請求項５】
請求項２記載のプロジェクタのキャビネットと、
前記エンクロージャに取り付けられたスピーカと
を備えていることを特徴とするプロジェクタ。
【発明の詳細な説明】
【０００１】
【発明の属する技術分野】
この発明は、光源からの放射光を映像信号に基づいて変調した後、レンズを通してスクリーン上に投射して映像を表示するプロジェクタに関する。この発明は、特に、上記映像に対応した音響を放射するスピーカが取り付けられたプロジェクタのスクリーンケース、プロジェクタのキャビネット、上記スクリーンケースを備えた視聴覚装置及び上記スクリーンケース又は上記キャビネットを備えたプロジェクタに関する。
【０００２】
【従来の技術】
従来のパーソナル・コンピュータ等の電子機器やカセット・プレーヤ等のオーディオ機器のうち、ケースにスピーカを取り付ける構造を有するものでは、以下のようにしてケースにスピーカが取り付けられる。まず、スピーカを固定するバッフル板に設けた開口部から弾性体であるパッキンの突出部を突き出させ、スピーカをはめ込み爪で固定させる。次に、パッキンの突出部が突き出し、スピーカを固定させた状態のバッフル板を、下ケースに設けた溝に差し込む。そして、突出部がバッフル板の外形よりも飛び出した状態で、下ケースの上方から上ケースを被せて、上ケースと下ケースとを固定している（例えば、特許文献１参照。）。
【０００３】
【特許文献１】
特開平７−１０７５８３号公報（［０００７］〜［０００９］、図２）
【０００４】
【発明が解決しようとする課題】
従来のスピーカの取付構造では、パッキンが上ケース、下ケース及びバッフル板の緩衝材として機能しており、スピーカの音量を上げたときに上ケース及び下ケースで発生するビリツキに基づく振動音（ビビリ音）を防止している。
ところが、上記した従来のスピーカの取付構造では、スピーカの後部を覆うエンクロージャが設けられていない。このため、バッフル板のサイズに限りがある以上は、音響工学上、低音特性が良好でなく、スピーカの性能を十分に引き出すことも、高音質での再生もできないという課題があった。この点、ラジオ・カセット・プレーヤやＣＤ・ラジオ・カセット・プレーヤ等の一体型で比較的安価なオーディオ機器では、高音質の音響再生はあまり要求されない。しかし、ハイビジョン放送やＢＳデジタル放送、あるいはＤＶＤプレーヤ等の高画質の映像を表示する大画面のプロジェクタの場合には、音響再生についても高音質が要求される。
【０００５】
そこで、例えば、スピーカの後部にエンクロージャを別個に設けることが考えられる。しかし、この場合には、部品点数が増加すると共に、組立工数も増加するため、プロジェクタの価格が高くなってしまう。また、エンクロージャを別個に設けることにより、スピーカの音量を上げたとき、上ケース又は下ケースとこのエンクロージャとの連結部でビビリ音が発生するおそれがあり、その場合には、音響が歯切れの悪い、濁った音色になる場合がある。
【０００６】
本発明は、上述のような課題を解決するためになされたもので、その目的は、プロジェクタにスピーカを設ける場合に、安価に高音質の音響を再生できると共に、ビビリ音の発生も防止することができるプロジェクタのスクリーンケース、プロジェクタのキャビネット、上記スクリーンケースを備えた視聴覚装置及び上記スクリーンケース又は上記キャビネットを備えたプロジェクタを得るものである。
【０００７】
【課題を解決するための手段】
本発明に係るプロジェクタのスクリーンケースでは、スピーカの後部を覆うために後方に延びる中空のエンクロージャが、映像が投射されるスクリーンが張設されるスクリーン枠部の端部に、スクリーン枠部と一体に形成されている。
本発明によれば、上記エンクロージャにスピーカを設けて音響信号を供給することにより、安価に高音質の音響を再生することができると共に、ビビリ音の発生も防止することができる。
【０００８】
また、本発明に係るプロジェクタのキャビネットでは、スピーカの後部を覆うために後方に延びる中空のエンクロージャが、少なくとも光学エンジン及び信号処理回路が収容される収容部と一体に形成されている。
本発明によれば、上記エンクロージャにスピーカを設けて音響信号を供給することにより、安価に高音質の音響を再生することができると共に、ビビリ音の発生も防止することができる。
【０００９】
本発明に係る視聴覚装置は、スピーカの後部を覆うために後方に延びる中空のエンクロージャが、映像が投射されるスクリーンが張設されるスクリーン枠部の端部に、スクリーン枠部と一体に形成されたスクリーンケースと、スクリーン枠部に張設されたスクリーンと、エンクロージャに取り付けられたスピーカとを備えている。
本発明によれば、フロントプロジェクタにより上記スクリーンに映像を投射すると共に、上記映像に対応した音響信号を上記スピーカに供給することにより、安価に高音質の音響を再生することができると共に、ビビリ音の発生も防止することができる。
【００１０】
本発明に係るプロジェクタは、スピーカの後部を覆うために後方に延びる中空のエンクロージャが、映像が投射されるスクリーンが張設されるスクリーン枠部の端部に、スクリーン枠部と一体に形成されたスクリーンケースと、スクリーン枠部に張設されたスクリーンと、エンクロージャに取り付けられたスピーカとを備えている。
本発明によれば、上記スクリーンに映像を投射すると共に、上記映像に対応した音響信号を上記スピーカに供給することにより、安価に高音質の音響を再生することができると共に、ビビリ音の発生も防止することができる。
【００１１】
本発明に係るプロジェクタは、スピーカの後部を覆うために後方に延びる中空のエンクロージャが、少なくとも光学エンジン及び信号処理回路が収容される収容部と一体に形成されたキャビネットと、エンクロージャに取り付けられたスピーカとを備えている。
本発明によれば、音響信号を上記スピーカに供給することにより、安価に高音質の音響を再生することができると共に、ビビリ音の発生も防止することができる。
【００１２】
【発明の実施の形態】
実施の形態１．
図１は、本発明の実施の形態１におけるプロジェクタのスクリーンケース２１を示す正面図、図２は、同スクリーンケース２１を示す左側面図である。
この実施の形態のプロジェクタのスクリーンケース２１は、スクリーンの裏面から映像を投射するリアプロジェクタに用いられるものである。スクリーンケース２１は、スクリーン枠部２２と操作枠部２３とが、例えば、ＡＢＳ樹脂、ポリプロピレン、あるいはポリスチレン等の合成樹脂を原料として射出成形や押出成形により一体に形成されている。スクリーン枠部２２は、略ロ字形状を有しており、例えば、６０インチサイズの図示せぬスクリーンが張設される。操作枠部２３には、操作部孔２４と、ランプ交換孔２５と、左エンクロージャ部２６と、右エンクロージャ部２７とが形成されている。操作部孔２４は、画像のコントラストや輝度等、音響の音量やトーン等を調整するための操作部を構成するボタンやレバー（図示略）が前面に突出するための孔である。ランプ交換孔２５は、光源であるランプを交換するための孔である。
【００１３】
左エンクロージャ部２６は、操作枠部２３の左端に設けられており、その前面には、後述するスピーカ・ユニット３１Ｌ（図３参照）の後部が挿入される略長方形状の開口部２６ａが形成されている。開口部２６ａの周囲には、開口部２６ａと略直角をなして外周方向に延びるツバ部２６ｂが数ｃｍ幅で形成されている。ツバ部２６ｂには、上記スピーカ・ユニット３１Ｌを取り付けるためのネジ孔２６ｃが所定間隔で複数個（図１の例では６個）形成されている。さらに、左エンクロージャ部２６には、所定の容積を有し、中空で略切頭四角錐状のエンクロージャ部２６ｄが後方に延びて形成されている。
【００１４】
同様に、右エンクロージャ部２７は、操作枠部２３の右端に設けられており、その前面には後述するスピーカ・ユニット３１Ｒ（図３参照）の後部が挿入される略長方形状の開口部２７ａが形成されている。開口部２７ａの周囲には、開口部２７ａと略直角をなして外周方向に延びるツバ部２７ｂが数ｃｍ幅で形成されている。ツバ部２７ｂには、上記スピーカ・ユニット３１Ｒを取り付けるためのネジ孔２７ｃが所定間隔で複数（図１の例では６個）形成されている。さらに、右エンクロージャ部２７には、所定の容積を有し、中空で略切頭四角錐状のエンクロージャ部２７ｄが後方に延びて形成されている。
【００１５】
図３は、スピーカ・ユニット３１Ｌ及び３１Ｒが取り付けられたスクリーンケース２１を示す斜視図である。スピーカ・ユニット３１Ｌは、バッフル板３２Ｌに全音域を出力可能なスピーカ（フルレンジスピーカ）３３Ｌが取り付けられると共に、エンクロージャ２６内の音の一部が共振し、特定の周波数を増強するためのバスレフ３４Ｌが一体に形成されている。同様に、スピーカ・ユニット３１Ｒは、バッフル板３２Ｒにフルレンジスピーカ３３Ｒが取り付けられると共に、エンクロージャ２７内の音の一部が共振し、特定の周波数を増強するためのバスレフ３４Ｒが一体に形成されている。
【００１６】
次に、スピーカ・ユニット３１Ｌのスクリーンケース２１への取り付け方法について、図４を参照して説明する。まず、内背面及び内側面に図示せぬ吸音材を接着した左エンクロージャ部２６の開口部２６ａからスピーカ・ユニット３１Ｌの後部をエンクロージャ部２６ｄ内に挿入し、バッフル板３２Ｌの周縁後部をツバ部２６ｂに当接させる。なお、吸音材としては、例えば、グラス・ウール、ロック・ウール、アセテート・ウール、ナイロン・ロック、粗毛フェルト等がある。この際、バッフル板３２Ｌの周縁部に形成された複数の円孔３５の位置と、ツバ部２６ｂに形成された複数のネジ孔２６ｃの位置とを一致させる。これにより、各円孔３５と、これらに対応するネジ孔２６ｃとで１個の貫通孔が形成される。
【００１７】
次に、バッフル板３３の正面側から各円孔３５に図示せぬネジを挿入し、ネジの雄ネジをツバ部２６ｂの対応するネジ孔２６ｃにねじ込んでスピーカ・ユニット３１Ｌを固定する。ネジ孔２６ｃの内径を、図示せぬネジの軸径よりわずかに小さく形成しておくことにより、ネジをねじ込めば、スピーカ・ユニット３１Ｌがツバ部２６ｂに固定される。この場合、ネジには、必要に応じて、平座金又はバネ座金のいずれか一方又は両方を挿入し、ビビリ音の原因であるネジのゆるみを防止する。また、ネジとバッフル板３２Ｌとの間隙に、ネジゆるみ止め用嫌気性接着剤を充填してネジとバッフル板３２Ｌの周辺とを一体化させることにより、ネジのゆるみを防止するようにしても良い。なお、ネジ孔２６ｃの内径をネジの軸径とほぼ等しく形成すると共に、ツバ部２６ｂの裏面側のネジ孔２６ｃ周辺部にネジが螺合するナットを接着固定しておき、ネジ（必要に応じてその軸に平座金又はバネ座金を挿入させる。）を、各円孔３５及び対応するネジ孔２６ｃに挿入してネジの雄ネジをナットの雌ネジに螺合させて固定するように構成しても良い。
【００１８】
また、スピーカ・ユニット３１Ｒのスクリーンケース２１への取り付け方法については、上記したスピーカ・ユニット３１Ｌのスクリーンケース２１への取り付け方法と同様であるので、その説明は省略する。なお、図４において、バッフル板３１Ｒには、ツバ部２７ｂの各ネジ孔２７ｃの対応する位置に複数の円孔３６が形成されていることが示されている。以上説明した取り付け方法を用いてスピーカ・ユニット３１Ｌ及び３１Ｒをスクリーンケース２１に取り付けることにより、スピーカ・ユニット３１Ｌ及び左エンクロージャ２６と、スピーカ・ユニット３１Ｒ及び右エンクロージャ２７とは、バスレフ形のスピーカ・システムを構成することになる。
【００１９】
スピーカ・ユニット３１Ｌ及び３１Ｒが取り付けられたスクリーンケース２１（図３参照）は、図示せぬスクリーンが張設された後、図５に示すキャビネット４１と結合されることにより、図６に示すように、リアプロジェクタを構成する。スクリーンケース２１をキャビネット４１とを結合する際、エンクロージャ部２６ｄがキャビネット４１のエンクロージャ収容部４２Ｌに収容されると共に、エンクロージャ部２７ｄがキャビネット４１のエンクロージャ収容部４２Ｒに収容される。図５に示すキャビネット４１は、図示せぬ光学エンジンから放射される映像をスクリーン側に反射するためのミラー（図示略）が取り付けられるミラーケース４１ａと、上記光学エンジン、映像信号処理回路、あるいは音響信号処理回路（共に図示略）等が取り付けられる下キャビネット４１ｂとから構成されている。図６においては、左右のスピーカ・システムの上面に、音響を放射するためのネット部４４Ｌ並びに４４Ｒ及び４５Ｌ並びに４５Ｒが設けられると共に、防塵やスピーカのコーンを保護のための化粧板４３Ｌ及び４３Ｒが取り付けられている。なお、化粧板４３Ｒは、ランプ交換孔２５をも覆っている。
【００２０】
このように、この例の構成によれば、スピーカ・ユニット３１Ｌ及び３１Ｒの後部を覆うために後方に延びる中空の左エンクロージャ２６及び右エンクロージャ２７を、スクリーンが張設されるスクリーン枠部２２の端部に、スクリーン枠部２２と一体に形成している。したがって、左エンクロージャ２６及び右エンクロージャ２７を有していることにより、音響工学上、低音特性が良好であり、フルレンジスピーカ３３Ｌ及び３３Ｒの性能を十分に引き出すことができ、スクリーンに表示される高画質の映像に対応した高音質な音響を再生することができる。また、左エンクロージャ２６及び右エンクロージャ２７をスクリーン枠部２２と一体に形成していることにより、部品点数や組立工数が増加することなく、したがって、プロジェクタの価格が高くなることなく、ビビリ音の発生を防止することができる。
【００２１】
実施の形態２．
図７は、本発明の実施の形態２におけるプロジェクタの下キャビネット５１を示す正面図、図８は、同下キャビネット５１を示す上面図、図９は、同下キャビネット５１を示す斜視図である。
この例のプロジェクタの下キャビネット５１は、左エンクロージャ５２、右エンクロージャ５３、光学エンジン収容部５４及び信号処理回路収容部５５が、例えば、ＡＢＳ樹脂、ポリプロピレン、あるいはポリスチレン等の合成樹脂を原料として射出成形や押出成形により一体に形成されている。左エンクロージャ５２は、上記した左エンクロージャ２６（図１及び図２参照）とほぼ同一の形状を有しており、上記したスピーカ・ユニット３１Ｌが取り付けられる。ただし、図７〜図９においては、ツバ部２６ｂに対応したツバ部は示していない。同様に、右エンクロージャ５３は、上記した右エンクロージャ２７（図１参照）とほぼ同一の形状を有しており、上記したスピーカ・ユニット３１Ｒが取り付けられる。ただし、図７〜図９においては、ツバ部２７ｂに対応したツバ部は示していない。
【００２２】
光学エンジン収容部５４には、例えば、赤（Ｒ）、緑（Ｇ）、青（Ｂ）ごとの液晶パネルユニット、プリズムユニット、投射レンズ等からなる光学エンジンが収容される。信号処理回路収容部５５には、信号処理回路が収容される。この信号処理回路は、例えば、外部から供給される映像信号を処理して液晶パネルを駆動するための信号を生成したり、外部から供給される音響信号を処理してスピーカ・ユニット３１Ｌ及び３１Ｒを駆動するための信号を生成する。スピーカ・ユニット３１Ｌ及び３１Ｒの下キャビネット５１への取り付け方法は、取り付ける先がスクリーンケース２１から下キャビネット５１に変更される以外は、概略的には、上記したスピーカ・ユニット３１Ｌ及び３１Ｒのスクリーンケース２１への取り付け方法と同様であるので、その説明を省略する。一方、この例の下キャビネット５１と対をなすスクリーンケースは、図１及び図２に示すスクリーンケース２１とは異なり、左エンクロージャ２６及び右エンクロージャ２７が取り除かれ、対応する部分には単に開口部が設けられている。そして、上記下キャビネット５１に光学ユニットや信号処理回路が取り付けられると共に、その上部に、図示せぬミラーが取り付けられたミラーケース４１ａ（図５参照）が取り付けられた後、図示せぬスクリーンが張設されたスクリーンケース（図示略）と結合されることにより、図６に示す形状とほぼ同一形状のリアプロジェクタが構成される。
【００２３】
このように、この例の構成によれば、スピーカ・ユニットの後部を覆うために後方に延びる中空の左エンクロージャ５２及び右エンクロージャ５３を、光学エンジン収容部５４及び信号処理回路収容部５５と一体に形成している。したがって、上記した実施の形態１とほぼ同様な効果を得ることができる。
【００２４】
以上、この実施の形態を図面を参照して詳述してきたが、具体的な構成はこの実施の形態に限られるものではなく、本発明の要旨を逸脱しない範囲の設計の変更等があっても本発明に含まれる。
例えば、上記した実施の形態１においては、本発明をリアプロジェクタに適用する例を示したが、これに限定されない。例えば、フロントプロジェクタから映像が投射されるスクリーンが張設されるスクリーンケースと、上記した左エンクロージャ２６及び右エンクロージャ２７とを、上記した実施の形態１と同様の方法で一体に形成し、左エンクロージャ２６及び右エンクロージャ２７にそれぞれスピーカ・ユニット３１Ｌ及び３１Ｒを取り付けるように構成しても良い。この場合、スクリーンに映像が表示され、スピーカ・ユニット３１Ｌ及び３１Ｒから音響が放射されるので、この構成を視聴覚装置と呼ぶことができる。
【００２５】
また、上記した各実施の形態においては、フルレンジスピーカ３３Ｌ及びバスレフ３４Ｌから構成されるスピーカ・ユニット３１Ｌをまとめてエンクロージャ２６に取り付けると共に、フルレンジスピーカ３３Ｒ及びバスレフ３４Ｒから構成されるスピーカ・ユニット３１Ｒをまとめてエンクロージャ２７に取り付ける例を示したが、これに限定されない。例えば、スピーカ・ユニットは、上記したフルレンジスピーカと、共振周波数が例えば、７０Ｈｚであるウーファと、共振周波数が例えば、１．５ｋＨｚであるトゥイータとにより構成しても良い。また、ウーファ、トゥイータ、あるいはフルレンジスピーカをそれぞれ別々に形成されたエンクロージャに取り付けても良い。また、エンクロージャの形成位置も、図１〜図３に示すスクリーンケース２１の下端部である必要はなく、上端部、左端部及び右端部でも良い。さらに、音響再生は、ステレオ再生でなく、モノラル再生でも良く、その場合には、スピーカは１チャネル分だけで良いので、エンクロージャはスクリーンケースの端部に少なくとも１個形成すれば良い。
【００２６】
また、上記した各実施の形態においては、スピーカ・システムがバスレフ形である例を示したが、これに限定されず、スピーカ・システムは、完全密閉ブックシェルフ形であっても良い。
また、上記した各実施の形態においては、下キャビネットにランプ交換孔が形成されている例を示したが、これに限定されず、例えば、ランプをリアプロジェクタの後部又は側部から交換する場合には、ランプ交換孔は不要となる。
【図面の簡単な説明】
【図１】実施の形態１を示すプロジェクタのスクリーンケースの正面図。
【図２】同スクリーンケースを示す左側面図。
【図３】スピーカ・ユニットが取り付けられたスクリーンケースの斜視図。
【図４】同スクリーンケースへのスピーカ・ユニットの取付工程説明図。
【図５】プロジェクタのミラーケースと下キャビネットの組立斜視図。
【図６】同スクリーンケースを有するプロジェクタの斜視図。
【図７】実施の形態２を示すプロジェクタの下キャビネットの正面図。
【図８】同下キャビネットの上面図。
【図９】同下キャビネットの斜視図。
【符号の説明】
２１  スクリーンケース、２２  スクリーン枠部、２３  操作枠部、２４  操作部孔、２５  ランプ交換孔、２６，５２  左エンクロージャ、２６ａ，２７ａ開口部、２６ｂ，２７ｂ  ツバ部、２６ｃ，２７ｃ  ネジ孔、２６ｄ，２７ｄエンクロージャ部、２７，５３  右エンクロージャ、３１Ｌ，３１Ｒ  スピーカ・ユニット、３２Ｌ，３２Ｒ  バッフル板、３３Ｌ，３３Ｒ  フルレンジスピーカ、３４Ｌ，３４Ｒ  バスレフ、４１  キャビネット、４１ａ  ミラーケース、４１ｂ，５１  下キャビネット、４２Ｌ，４２Ｒ  エンクロージャ収容部、４３Ｌ，４３Ｒ  化粧板、４４Ｌ，４４Ｒ，４５Ｌ，４５Ｒ  ネット部、５４  光学エンジン収容部、５５  信号処理回路収容部。
【図１】
2004297296.tif 000003
【図２】
2004297296.tif 000004
【図３】
2004297296.tif 000005
【図４】
2004297296.tif 000006
【図５】
2004297296.tif 000007
【図６】
2004297296.tif 000008
【図７】
2004297296.tif 000009
【図８】
2004297296.tif 000010
【図９】
2004297296.tif 000011